(57)【要約】【課題】回転ブラシのアンバランス調整の作業性と精度の向上を実現出来るノズル及びこれを搭載した電気掃除機を提供すること。【解決手段】略中空円筒状のブラシ体１１を有し、モーターにて駆動される回転ブラシ４を備え、ブラシ体１１の外周表面の一部に略リング状の肉厚部８を設け、リング状の肉厚部８にビスを締結して、回転ブラシ４のアンバランスを調整するノズルとした。これにより、比較的薄肉のブラシ体１１のビス１０を締結する可能性のある部分のみを厚肉にして、ビス１０締結時の掛かり代を確保することが可能となり、またビス１０はブラシ体１１の外周表面より締結出来るため、アンバランス調整の作業性が向上すると共に、リング状の肉厚部８の外周の任意の位置にカウンターウエイトとしてのビス１０を締結することが可能となり、アンバランス調整の精度も向上出来る。【選択図】図２
2007167485.tif 000002
【特許請求の範囲】
【請求項１】
モーターと、略中空円筒状のブラシ体を有し、前記モーターにて駆動される回転ブラシとを備え、前記ブラシ体の外周表面の一部に略リング状の肉厚部を設け、前記リング状の肉厚部にビスを締結して、回転ブラシのアンバランスを調整したノズル。
【請求項２】
リング状の肉厚部は、ブラシ体の略両端に設けられた請求項１記載のノズル。
【請求項３】
略リング状の肉厚部を除くブラシ体の表面には、ブラシが規則性をもって植毛されると共に、リング状の肉厚部表面で且つブラシ体のブラシ植毛の規則性に従った位置に、ブラシを植毛した請求項１または２記載のノズル。
【請求項４】
略リング状の肉厚部を除くブラシ体の表面には、ブラシが規則性をもって植毛されると共に、リング状の肉厚部表面で且つブラシ体のブラシ植毛の規則性に従わない位置に、ブラシを植毛した請求項１または２記載のノズル。
【請求項５】
請求項１〜４のいずれか１項に記載のノズルを搭載した電気掃除機。
【発明の詳細な説明】
【技術分野】
【０００１】
本発明は、電気掃除機のノズルに関するもので、特にモーターにて高速に駆動される回転ブラシのアンバランス調整手段に関するものである。
【背景技術】
【０００２】
従来の電気掃除機では、比較的外径の大きい中空のブラシ体を有する回転ブラシの少なくとも一側端面の同心円周上に、深さ方向が回転ブラシの回動軸線と平行となるように複数の穴を配設し、穴形状と同形状か圧入可能な形状のカウンターウエイトをアンバランス位置に圧入とすることで回転ブラシのアンバランス調整を可能としている（例えば、特許文献１参照）。
【０００３】
また、比較的外径の小さいブラシ体を採用する場合には、中実のブラシ体を使用することも一般的であり、このような回転ブラシでは、ブラシ体にカウンターウエイトとしてビスを締結する手段も一般的である。
【特許文献１】実開昭５９−１１７４６４号公報
【発明の開示】
【発明が解決しようとする課題】
【０００４】
しかし、従来のノズルの回転ブラシのアンバランス調整構成では、中空のブラシ体を採用する場合には、ブラシ体の内部をかなり厚肉にする必要があり、熱可塑性樹脂で成型する場合などは、通常その成型が困難であり、ブラシ体の質量が増加するという課題があった。
【０００５】
また、アンバランス調整を行う場合、通常はアンバランスマシンによるアンバランス箇所の特定後、カウンターウエイトを取り付けるが、従来例のように、ブラシ体の側方外側にカバー体を取り付ける場合、アンバランスマシンによる測定後にカバー体を取り外す必要があり、カバー体がブラシ体と圧入等で確実に固定する必要がある場合などは、カウンターウエイトの取り付けに時間を要するという課題があった。
【０００６】
一方、中実のブラシ体を採用する場合は、カウンターウエイトとして、ブラシ体の外周より内側に向かってビスを締結するのが一般的であるが、中実のブラシ体を成型するためには、ソリ等の成型不具合を防止するため、ブラシ体の外径を比較的小さくすることで、厚肉成型を実現する必要があり、この場合床面の塵埃を掻き上げるようにするため、ブラシを長くする必要があり、このことがブラシのコシをなくし、集塵性能を低下させるという課題があった。
【０００７】
また、アンバランスマシンにより、アンバランス箇所がブラシの植毛位置であった場合には、その近傍にビスを締結することしか出来ず、この場合には、アンバランス調整をある程度不完全なまま妥協せざるを得ないという課題があった。
【０００８】
本発明は、前記従来の課題を解決するもので、回転ブラシのアンバランス調整作業性を確保しつつ、アンバランス調整精度を向上したノズルを提供する事を目的とする。
【課題を解決するための手段】
【０００９】
前記従来の課題を解決するために、本発明のノズルは、モーターと、略中空円筒状のブラシ体を有し、前記モーターにて駆動される回転ブラシとを備え、前記ブラシ体の外周表面の一部に略リング状の肉厚部を設け、前記リング状の肉厚部にビスを締結して、回転ブラシのアンバランスを調整する構成とした。
【００１０】
これにより、比較的薄肉のブラシ体のビスを締結する可能性のある部分のみ厚肉にし、ビス締結時の掛かり代が確保可能となり、ビスはブラシ体の外側より締結出来るため、アンバランス調整の作業性が向上すると共に、リング状の肉厚部の外周の任意の位置にカウンターウエイトとしてのビスを締結することが可能となり、アンバランス調整精度も向上出来る。
【発明の効果】
【００１１】
本発明のノズルは、回転ブラシのアンバランス調整の作業性を向上しつつ、その精度も向上出来るものである。
【発明を実施するための最良の形態】
【００１２】
第１の発明は、前記従来の課題を解決するために、モーターと、略中空円筒状のブラシ体を有し、前記モーターにて駆動される回転ブラシとを備え、前記ブラシ体の外周表面の一部に略リング状の肉厚部を設け、前記リング状の肉厚部にビスを締結して、回転ブラシのアンバランスを調整するもので、特に中空のブラシ体の場合、比較的薄肉のブラシ体のビスを締結する可能性のある部分のみ厚肉にして、ビス締結時の掛かり代が確保可能となり、ビスはブラシ体の外側より締結出来るため、アンバランス調整作業性が確保出来ると共に、リング状の肉厚部の外周の任意の位置にカウンターウエイトとしてのビスを締結することが可能となり、アンバランス調整精度も向上出来る。
【００１３】
第２の発明は、特に第１の発明のリング状の肉厚部を、ブラシ体の略両端に設けたので、２つを配することにより、より精密にバランスを取ることが可能となり、また回転ブラシをその両端で支持するような場合には、アンバランスを調整するリング状の肉厚部が支持部に近くなり、さらにバランスを取り易くなるものである。
【００１４】
また回転ブラシをその両端の軸受けで支持するような場合で、回転ブラシへの動力伝達手段を有する場合は、前記軸受けの近傍に動力伝達手段が設けられている場合が多く、ブラシ体から前記軸受け部や動力伝達手段に、塵埃が侵入して、回転不良の原因となることもあるが、リング状の肉厚部を、ブラシ体の略両端に設けることにより、ブラシ体との隙間から回転ブラシの軸受け部や動力伝達手段への塵埃の侵入を低減することができる。
【００１５】
第３の発明は、第１または第２の発明の略リング状の肉厚部を除くブラシ体の表面には、ブラシが規則性をもって植毛されると共に、リング状の肉厚部表面で且つブラシ体のブラシ植毛の規則性に従った位置に、ブラシを植毛するもので、通常は回転ブラシを組み立てる前に、ブラシ体の長手方向の一端近傍より他端近傍まで自動機によりある規則性に従って植毛したブラシ体を作成するが、アンバランス測定により、カウンターウエイト装着位置と植毛位置が一致してしまう場合もあり、このような場合には植毛位置に近接する位置にカウンターウエイトを装着することでアンバランスを極力低減することが出来ると共に、リング状の肉厚部の位置にブラシを植毛することで、ブラシの植毛代を大きく出来るため、植毛強度をも確保することが出来る。
【００１６】
第４の発明は、第１または第２の発明の略リング状の肉厚部を除くブラシ体の表面には、ブラシが規則性をもって植毛されると共に、リング状の肉厚部表面で且つブラシ体のブラシ植毛の規則性に従わない位置に、ブラシを植毛するもので、予めカウンターウエイト装着位置に傾向があり且つ植毛規則に従う位置にカウンターウエイトを装着する可能性がある場合などは、自動機によりブラシを植毛する際に、リング状の肉厚部の位置で且つ植毛の規則性に従わない位置にブラシを植毛することで、カウンターウエイトを有効な位置に装着することが可能と出来る。
【００１７】
第５の発明は、第１〜第４のいずれか１つの発明のノズルを搭載した電気掃除機とするもので、アンバランスの調整作業を向上した電気掃除機が得られるものである。
【００１８】
以下、本発明の実施の形態について、図面を参照しながら説明する。なお、この実施の形態によって本発明が限定されるものではない。
【００１９】
（実施の形態１）
図１は、本発明の第１の実施の形態における電気掃除機の全体構成を示す要部断面図で、図２は、同電気掃除機のノズル部の下面図、図３は、図２のＡ−Ａ断面図、図４は、図２のＢ−Ｂ断面図である。
【００２０】
図１において、１は、電気掃除機本体で、下方にモーター（図示せず）を内蔵する本体部２と本体部２の下方に傾動自在に取り付けられたノズル部３とで構成されている。また、ノズル部３は、中空の回転ブラシ４を有し、モーターシャフト５と回転ブラシ４との間にはベルト６が架けられている。
【００２１】
図２において、ノズル部３の底面には主吸込口７が設けられており、主吸込口７の両端近傍内側には、回転ブラシ４の外周より突出するリング状の肉厚部８が設けられている。ここで、回転ブラシ４には螺旋状に２条のブラシ９が規則的に植毛されており、この規則性に従うように、リング状の肉厚部８内にもブラシ９が植毛されている。
【００２２】
図３〜図４において、リング状の肉厚部８内にはカウンターウエイトとして、ビス１０が締結されている。ここで、ビス１０は、事前にアンバランス測定機にてアンバランス箇所を特定し、このアンバランス箇所とは対称位置もしくはその近傍に締結されている。
【００２３】
上記構成を備えた電気掃除機の動作、作用は以下の通りである。
【００２４】
モーターの回転の回転力は、モーターシャフト５からベルト６を介して回転ブラシ４に伝達され、回転ブラシ４が回転することで塵埃を掻き上げると同時にモーターの吸引力により塵埃を吸引することで掃除面の塵埃を除去する。
【００２５】
ここで、通常モーターの回転数は数万回転であり、モーターシャフト５の外径と回転ブラシ４のベルト懸架部の外径とで決まる減速比により減速するものの、通常回転ブラシは数千回転という高速回転するが、カウンターウエイトとしてのビス１０が締結されているため、回転ブラシ４は、高速回転した場合にも回転ブラシ４の振動が低減されているので、振動と振動音が少なく安定して回転する。
【００２６】
このように、本実施の形態によれば、回転ブラシ４の中空のブラシ体１１に対して、比較的薄肉のブラシ体１１のカウンターウエイトとしてビス１０を締結する可能性のある部分のみ厚肉にし、リング状の肉厚部８を形成することで、ビス１０締結時の掛かり代を確保可能となり、確実な固定が可能となると共に、ビス１０はブラシ体１１の外側より締結出来るため、アンバランス調整作業性が確保出来る。
【００２７】
また、通常は回転ブラシ４を組み立てる前に、ブラシ体１１の長手方向の一端近傍より他端近傍まで自動機によりある規則性に従って植毛したブラシ体１１を作成するが、アンバランス測定により、カウンターウエイト装着位置と植毛位置が一致してしまう場合もあり、このような場合には植毛位置に近接する位置にカウンターウエイトを装着することでアンバランスを極力低減することが出来ると共に、リング状部８内にブラシ９を植毛することで、ブラシ９の植毛代を大きく出来るため、植毛強度をも確保することが出来る。
【００２８】
（実施の形態２）
図５は、本発明の第２の実施の形態における電気掃除機のノズル部の下面図である。なお、上記実施の形態１と同一部分については同一符号を付してその説明を省略する。
【００２９】
本実施の形態は、上記第１の実施の形態におけるリング状の肉厚部８において、ブラシ体１１のブラシ植毛の規則性に従わない位置にブラシ９を植毛したもので、予めカウンターウエイト装着位置に傾向があり且つ植毛規則に従う位置にカウンターウエイトを装着する可能性がある場合などは、自動機によりブラシ９を植毛する際に、リング状部８内のみ規則性に従わない位置にブラシ９を植毛することで、カウンターウエイトを有効な位置に装着することが可能と出来る。
【００３０】
なお、図６に示すように、端から端までゴミの掻き上げが必要とされない場合などは、リング状の肉厚部８にブラシ９を植毛しなければ、リング状部８の全周にカウンターウエイトとしてのビス１０の締結が可能となり、よりアンバランスの低減が容易であることは言うまでもない。
【００３１】
尚、本実施の形態において、回転ブラシのアンバランスを調整するためにビスをブラシ体に締結する説明を行なってきたが、ピンを差し込む等しても同様の効果が得られ、支障がないものである。
【産業上の利用可能性】
【００３２】
以上のように、本発明にかかる電気掃除機は、回転ブラシのアンバランス調整の作業性と精度を確保出来るものであり、各種回転ブラシのアンバランス調整に適用できるものである。
【図面の簡単な説明】
【００３３】
【図１】本発明の実施の形態１における電気掃除機の全体構成を示す要部断面図
【図２】同電気掃除機のノズルの下面図
【図３】同電気掃除機の要部断面図（図２のＡ−Ａ断面）
【図４】同電気掃除機の要部断面図（図２のＢ−Ｂ断面）
【図５】本発明の実施の形態２における電気掃除機のノズル部の下面図
【図６】同電気掃除機のノズル部の他の下面図
【符号の説明】
【００３４】
３    ノズル部
４    回転ブラシ
８    リング状の肉厚部
９    ブラシ
１０  ビス
１１  ブラシ体
【図１】
2007167485.tif 000003
【図２】
2007167485.tif 000004
【図３】
2007167485.tif 000005
【図４】
2007167485.tif 000006
【図５】
2007167485.tif 000007
【図６】
2007167485.tif 000008